(57)【要約】【課題】  本発明はオーディオ回路に関し、過大出力電力による部品の破損を防止し、また過大出力電力であることを表示することができるオーディオ回路を提供することを目的としている。【解決手段】  オーディオ信号をアンプで増幅した後、増幅したオーディオ信号をオーディオパワーアンプ３でスピーカ５に供給するようにしたオーディオ回路において、前記オーディオパワーアンプ３の前段に設けられたアンプ１０の出力を検知するオーディオ検知部１２を設け、該オーディオ検知部１２の出力を用いて警報を出力し、直流安定化電源１及び／又は前記オーディオパワーアンプ３を制御する動作の少なくとも１つを実行するように構成する。【選択図】    図１
2005142795.tif 000002
【特許請求の範囲】
【請求項１】
オーディオ信号をアンプで増幅した後、増幅したオーディオ信号をオーディオパワーアンプでスピーカに供給するようにしたオーディオ回路において、
前記オーディオパワーアンプの前段に設けられたアンプの出力を検知するオーディオ検知部を設け、
該オーディオ検知部の出力を用いて警報を出力し、直流安定化電源及び／又は前記オーディオパワーアンプを制御する動作の少なくとも１つを実行するように構成したことを特徴とするオーディオ回路。
【請求項２】
オーディオ信号をアンプで増幅した後、増幅したオーディオ信号をオーディオパワーアンプでスピーカに供給するようにしたオーディオ回路において、
直流安定化電源から前記オーディオパワーアンプへの供給電流を電圧に変換する回路と、該電圧変換回路の出力電圧信号を入力するローパスフィルタと、該ローパスフィルタの出力を受けて所定の基準値と比較する比較回路とを設け、該比較回路の出力を用いて警報を出力し、直流安定化電源及び／又は前記オーディオパワーアンプを制御する動作の少なくとも１つを実行するように構成したことを特徴とするオーディオ回路。
【請求項３】
オーディオ信号をアンプで増幅した後、増幅したオーディオ信号をオーディオパワーアンプでスピーカに供給するようにしたオーディオ回路において、
直流安定化電源から前記オーディオパワーアンプへの供給電流を電圧に変換し、この変換された電圧信号と基準電圧との差分を積分する積分回路を設け、該積分回路の出力であるパルス幅制御信号を直流安定化電源に与えて、出力信号の振幅の調整を行なうことを特徴とするオーディオ回路。
【発明の詳細な説明】
【技術分野】
【０００１】
本発明はオーディオ回路に関し、更に詳しくはスピーカに供給するパワーアンプの出力を制御するようにしたオーディオ回路に関する。
【背景技術】
【０００２】
オーディオ回路は、オーディオ信号を所定の振幅まで増幅し、パワーアンプに入力して、該パワーアンプでスピーカを駆動するものである。この種のオーディオ回路は各種の構成のものが使用されている。例えば、パワーアンプとしてＤクラスのパワーアンプを使用し、ローパスフィルタを通して出力とするものにおいて、ローパスフィルタの出力とアンプの出力との差分を前記アンプの入力にフィードバックしてＤクラスアンプの歪みの低減を行なうようにした技術がある（例えば特許文献１参照）。
【０００３】
また、オーディオアンプの保護回路としては、電源ラインにヒューズを挿入するものや、電流に過電流垂下特性を持たせるようにしたものがある。
【０００４】
図６は従来のオーディオ回路の構成例を示すブロック図である。図において、１は直流安定化電源、２は該直流安定化電源１の出力ラインに設けられた高周波ノイズ除去用のローパスフィルタ（Ａ）、３は該ローパスフィルタ２からの電源パワーを供給され、オーディオ信号を電力増幅する電力アンプである。近年は、電力アンプとしてディジタルアンプを用いたものが増えてきている。４は電力アンプ３の出力を受けてノイズを除去するローパスフィルタ（Ｂ）である。
【０００５】
５は電力アンプ３から駆動され、音声を出力するスピーカである。Ｒｓは電力供給ラインに直列に接続された電流検出抵抗、Ｄ１は電流検出抵抗Ｒｓで検出された電圧信号のピーク値を検出するピーク検出用ダイオードである。６は該ピーク検出用ダイオードＤ１で整流された信号を基準電圧Ｖｒｅｆと比較する比較器である。
【０００６】
Ｃ１は検出電圧ラインに接続されたコンデンサ、Ｒ１は同じく検出電圧ラインに接続された抵抗である。コンデンサＣ１と抵抗Ｒ１とで構成される回路は充放電回路を構成しており、ピーク検出信号を保持し、リセットするものである。比較器６の出力は、電力アンプ３及び直流安定化電源１に制御信号として供給される。Ｒはスピーカ５の有する抵抗である。このように構成された回路の動作を説明すれば、以下の通りである。
【０００７】
電力アンプ用の電源として機能する直流安定化電源１の出力は、続くローパスフィルタ２で高周波ノイズが除去された後、電力アンプ３に供給される。この電力アンプ３には、オーディオ信号が入力される。電力アンプ３で電力増幅されたオーディオ信号は、続くローパスフィルタで高周波ノイズが除去された後、スピーカ５を駆動する。この結果、スピーカ５からは音楽が再生される。
【０００８】
一方、電力アンプに供給したリターン電流信号ｉ１は、電流検出抵抗Ｒｓを介して直流安定化電源１に戻る。この時、電流検出用抵抗Ｒｓを流れることにより、Ｒｓ・ｉ1の電圧に変換される。この電圧信号は、ピーク検出用ダイオードＤ１でピークが検出され、比較器６で基準電圧Ｖｒｅｆと比較される。
【０００９】
ここで、スピーカ５に流れる電流が定格値よりも大きくなったら、比較器６がそのことを検出し、直流安定化電源１の出力を小さくするか、又は電力アンプ３の出力を抑制する等の制御を行なう。このようにすることにより、過大な電流がスピーカ５に流れることを防止している。
【００１０】
従来は、直流安定化電源１から電力アンプ３に供給する直流電圧値を定格電力に相当する電圧値より高い電圧値を供給して、電流のピーク値のクリップ値を定格電力以上にして、電流のピーク値を検出し、保護回路として機能させていた。例えば、直流安定化電源１からの直流電圧を定格Ｖ１より高い電圧値（１＋α）Ｖ１を供給している。
【００１１】
ここで、定格電力をＰｏとして、比較器６の比較電圧（基準電圧）Ｖｒｅｆを
Ｐｏ・Ｒｓ／（（１＋α）・Ｖ１）＜Ｖｒｅｆ＜（１＋α）Ｐｏ・Ｒｓ／Ｖ１
に設定することにより、定格電力以上の時、過電流を検出することができる。
【００１２】
図７は図６に示す回路の帰還電流（リターン電流）ｉ1の電流波形を示す図である。縦軸は電流値、横軸は時間ｔである。ローパスフィルタ４から出力されるオーディオ信号をｅｏ、スピーカ５のインピーダンスを純抵抗Ｒ、流れる電流をｉｏとする。スピーカ５の入力オーディオ信号をｅｏ＝Ｅｓｉｎωｔ、スピーカ５を流れる電流をｉｏとすれば、電力Ｐｏは次式のようになる。
【００１３】
Ｐｏ＝ｅｏ・ｉｏ＝（Ｅ2・ｓｉｎ2ωｔ／Ｒ）＝Ｅ2（１−ｃｏｓ２ωｔ）／２Ｒ
これから図に示す電流ｉ1の波形はＰｏ／（１＋α）Ｖ１より
ｉ1＝Ｅ2（１−ｃｏｓ２ωｔ）／（２Ｒ（１＋α）・Ｖ１）
で表わされる。図において、ラインＬ１は電流クリップ値で
（１＋α）・Ｐｏ／Ｖ１
で表わされる。ラインＬ２は出力電力Ｐｏ時のピーク電流値であり
Ｐｏ／（（１＋α）・Ｖ１）
で表わされる。
【００１４】
図６に示す回路では、無歪み出力電力を定格出力電力以上に相当する電圧を印加して過電流を検出抵抗Ｒｓで電圧信号に変換し、ダイオードＤ１を通して、コンデンサＣ１に充電する。Ｒ１はコンデンサＣ１に充電された電荷を時定数Ｃ１・Ｒ１で放電させる抵抗である。この充電電圧が設定された基準電圧Ｖｒｅｆ以上になった時に比較器出力より過電流信号を出力し、電力アンプ３のミュート回路を動作させ、スピーカ５への出力を断にしたり、又は直流安定化電源１の制御部で直流電圧を低下させて出力電圧を抑圧し、パワー素子等が破損するのを防ぐことができる。
【特許文献１】特開２００２−３５９５２５号公報（第４頁、第５頁、図１、図２）
【発明の開示】
【発明が解決しようとする課題】
【００１５】
図６に示した従来の回路では、電源部からの直流電圧を上げることが困難な場合は、定格電力以下で過電流を検知しなければならず、この場合、検知した電流に相当する出力電力で保護回路が動作するため、波形歪みが増加してしまうという問題がある。即ち、無歪み出力電力値を低下させることになる。
【００１６】
このように、従来の回路では、直流電圧を高く上げると、電力アンプに耐圧の高いパワー素子を使用しなければならずコストアップとなってしまう。また、定格電力以下で過電流を検知する場合は、無歪み出力電圧を低下させてしまうという問題があった。
【００１７】
本発明はこのような課題に鑑みてなされたものであって、過大出力電力による部品の破損を防止し、また過大出力電力であることを表示することができるオーディオ回路を提供することを目的としている。
【課題を解決するための手段】
【００１８】
（１）請求項１記載の発明は、オーディオ信号をアンプで増幅した後、増幅したオーディオ信号をオーディオパワーアンプでスピーカに供給するようにしたオーディオ回路において、前記オーディオパワーアンプの前段に設けられたアンプの出力を検知するオーディオ検知部を設け、該オーディオ検知部の出力を用いて警報を出力し、直流安定化電源及び／又は前記オーディオパワーアンプを制御する動作の少なくとも１つを実行するように構成したことを特徴とする。
（２）請求項２記載の発明は、オーディオ信号をアンプで増幅した後、増幅したオーディオ信号をオーディオパワーアンプでスピーカに供給するようにしたオーディオ回路において、直流安定化電源から前記オーディオパワーアンプへの供給電流を電圧に変換する回路と、該電圧変換回路の出力電圧信号を入力するローパスフィルタと、該ローパスフィルタの出力を受けて所定の基準値と比較する比較回路とを設け、該比較回路の出力を用いて警報を出力し、直流安定化電源及び／又は前記オーディオパワーアンプを制御する動作の少なくとも１つを実行するように構成したことを特徴とする。
（３）請求項３記載の発明は、オーディオ信号をアンプで増幅した後、増幅したオーディオ信号をオーディオパワーアンプでスピーカに供給するようにしたオーディオ回路において、直流安定化電源から前記オーディオパワーアンプへの供給電流を電圧に変換し、この変換された電圧信号と基準電圧との差分を積分する積分回路を設け、該積分回路の出力であるパルス幅制御信号を直流安定化電源に与えて、出力信号の振幅の調整を行なうことを特徴とする。
【発明の効果】
【００１９】
（１）請求項１記載の発明によれば、オーディオパワーアンプの前段に設けられたアンプの出力である、クリップされていない非飽和信号を用いて基準電圧と比較するようにしているので、クリップされる直前のオーディオ信号を正確に検出することができる。従って、過大出力電力による部品の破損を防止し、また過大出力電力であることを表示することができる。
（２）請求項２記載の発明によれば、リターン電流を電流検出抵抗で電圧に変換した信号をローパスフィルタを通してリターン電流を平均化したものと基準値とを比較するようにしているので、過大電流を正確に検出することができ、結果として過大出力電力による部品の破損を防止し、また過大出力電力であることを表示することができる。
（３）請求項３記載の発明によれば、過大電流が流れたことを電流検出抵抗で電圧信号に変換したものと、基準電圧との差分を積分回路で積分するようにしており、比較器出力のような急激な変化ではないので、過大電流を検出した時のスピーカの音に不快感を感じなくてすむ。
【発明を実施するための最良の形態】
【００２０】
以下、図面を参照して本発明の実施の形態例を詳細に説明する。
【００２１】
図１は本発明の第１の実施の形態例を示すブロック図である。図６と同一のものは、同一の符号を付して示す。図において、１は直流安定化電源であり、後述するオーディオパワーアンプにパワーを供給するものである。該直流安定化電源１としては、例えばスイッチング電源が用いられる（以下スイッチング電源を用いるものとする）。該スイッチング電源１において、１ａはオーディオパワーアンプにパワーを供給するパワースイッチング部、１ｂは該パワースイッチング部１ａを制御する制御部である。該制御部１ｂとしては、例えばマイクロプロセッサが用いられる。ここで、スイッチング電源１の出力電圧をＶ１とする。
【００２２】
１０はオーディオ信号を受けて増幅する第１のアンプ（アンプ１）、１１はアンプ１の出力を受けて増幅する第２のアンプ（アンプ２）である。アンプ１の出力をｅｓ、アンプ２の出力をｅ1とする。３はスイッチング電源１からのパワーの供給を受けて、アンプ２の出力であるオーディオ信号を増幅するオーディオパワーアンプである。該オーディオパワーアンプとしては、例えばディジタルアンプが用いられる。５はオーディオパワーアンプ３により駆動され、音声を発するスピーカである。
【００２３】
１２はアンプ１の出力を受けてオーディオ信号を検知するオーディオ検知部である。該オーディオ検知部１２において、１２ａはアンプ１の出力ｅｓをバッファリングするバッファアンプである。Ｄ１は該バッファアンプ１２ａの出力のピークを検出するダイオード、Ｃ１はダイオードＤ１の出力から電流を充電するコンデンサ、Ｒ１はコンデンサＣ１の両端に並列に接続される電荷放電用の抵抗である。１２ｂは、ピーク電圧と基準電圧Ｖｒｅｆとを比較する比較器である。
【００２４】
１３はオーディオ検知部１２の出力を受けるＬＥＤ表示部である。該ＬＥＤ表示部１３において、１３ａはＬＥＤの駆動回路、Ｄ２はＬＥＤ（発光ダイオード）である。オーディオ検知部１２の出力は、前記ＬＥＤ表示部１３の他、スイッチング電源１とオーディオパワーアンプ３に制御信号として入っている。このように構成された回路の動作を説明すれば、以下の通りである。
【００２５】
オーディオ信号をアンプ１,アンプ２で増幅した後、その出力ｅ1をオーディオパワーアンプ３に送る。一方、スイッチング電源１からは直流電圧Ｖ１がオーディオパワーアンプ３に送られる。オーディオパワーアンプ３は、アンプ２の出力であるオーディオ信号ｅ1を電力増幅し、出力電圧ｅｏを出力し、スピーカ５を駆動し音声を発生させる。
【００２６】
一方、オーディオ検知部１２では、アンプ１の出力電圧であるオーディオ信号ｅｓをバッファアンプ１２ａで受信する。バッファアンプ１２ａの出力は、ダイオードＤ１を介してコンデンサＣ１にｅｓのピーク値を充電させる。この充電電圧は、続く比較器１２ｂで基準電圧Ｖｒｅｆと比較される。本発明によれば、アンプの最終段出力では出力波形が歪んでいても、その前の段、特にアンプ１の出力ｅｓは歪んでいないと考えられることから、このアンプ１の出力ｅｓを過大電圧の検出に用いれば、正確に過大電力を検出することができる。この時において、どの程度の過大電力で動作させるかは、基準電圧Ｖｒｅｆの値により決まる。
【００２７】
比較器１２ｂでオーディオ信号と基準電圧Ｖｒｅｆとを比較し、オーディオ信号が基準電圧Ｖｒｅｆよりも大きい場合、比較器１２ｂは例えばＨレベルの信号を出力する。この比較器１２ｂの出力は、オーディオパワーアンプ３に入力され、ミュート回路（図示せず）を動作させ、出力ｅｏを０にする。或いは、スイッチング電源１の制御部１ｂに入力され、制御部１ｂのデッドタイムコントロールでパルス幅を狭くしてその出力電圧Ｖ１を低下させ、オーディオパワーアンプ３の出力電圧を低下させる。
【００２８】
或いは、ＬＥＤ表示部１３に入力され、ＬＥＤ  Ｄ２を点灯させ、定格電力以上のオーディオ信号が入力されているこを知らせる。以上のオーディオ検知部１２の出力に基づく制御は、前記した３種類の制御の内、少なくとも１つの制御を行えば、過大出力電力による部品の破損を防止するという目的を達することができる。
【００２９】
即ち、スイッチング電源のパルスのデューティを小さくしてその出力電圧Ｖ１を小さくすれば、オーディオパワーアンプ３の出力を低下させることができ、部品（特に出力段のトランジスタ）の破損を防止することができる。或いは、オーディオパワーアンプ３の出力ｅｏを０にしてスピーカ５が過大電圧により破損することを防ぐことができる。或いは、操作者にＬＥＤ  Ｄ２を点灯させて定格電力以上のオーディオ信号が入力されていることを知らせることができる（警報出力）。操作者は、この表示を見てスイッチング電源１をオフにする等の対策をとることができる。
【００３０】
前述したように、第１の実施の形態例によれば、オーディオパワーアンプの前段に設けられたアンプの出力である、クリップされていない非飽和信号を用いて基準電圧と比較するようにしているので、クリップされる直前のオーディオ信号を正確に検出することができる。従って、過大出力電力による部品の破損を防止し、また過大出力電力であることを表示することができる。
【００３１】
図２は図１に示す回路の各部の動作波形を示す図である。図に示す波形の縦軸は電圧の振幅、横軸は時間である。図では、アンプ１の出力ｅｓとオーディオパワーアンプ３の出力（スピーカの入力）ｅｏを示している。（イ）は定格電力以下の波形を、（ロ）は定格電力の波形を、（ハ）は定格電力以上の波形を示している。電圧基準値Ｖｒｅｆは、ｅｓの（ロ）波形のピーク値より高い値に設定されている。図に示す例によると、ｅｓの（イ），（ロ），（ハ）共に波形は非飽和波形であるが、オーディオパワーアンプ３の出力レベルでは、（ハ）に示す波形は定格電力以上であるため、ピークが電源電圧Ｖ１により波形が飽和し、クリップされていることが分かる。
【００３２】
図３は本発明の第２の実施の形態例を示すブロック図である。図１と同一のものは、同一の符号を付して示す。図において、１はスイッチング電源であり、パワースイッチング部１ａと制御部１ｂとで構成されている。３はスイッチング電源１の出力Ｖ１を電源電圧として受けるオーディオパワーアンプである。該オーディオパワーアンプ３の出力は、スピーカ５を駆動するようになっている。１５はオーディオ信号を増幅するアンプで、その出力ｅ1はオーディオパワーアンプ３に入力されている。
【００３３】
Ｒｓはリターン電流ｉ1を電圧信号に変換する電流検出抵抗である。１６は電流検出抵抗Ｒｓとリターン電流の積であるＲｓ・ｉ1を受けるローパスフィルタである。１２ｂは該ローパスフィルタ１６の出力と、基準電圧Ｖｒｅｆとを比較する比較器である。該比較器１２ｂの出力は、スイッチング電源１、オーディオパワーアンプ３及びＬＥＤ表示部１３に制御信号として与えられる。
【００３４】
ＬＥＤ表示部１３において、１３ａはＬＥＤの駆動回路、Ｄ２は該駆動回路１３ａにより駆動されるＬＥＤである。このように構成された回路の動作を説明すれば、以下の通りである。
【００３５】
スイッチング電源１からのオーディオパワーアンプ（ディジタルアンプ）３に供給する直流電圧Ｖ１のリターン電流ｉ1を電流検出抵抗Ｒｓで電圧信号Ｒｓ・ｉ1に変換する。変換された電圧信号Ｒｓ・ｉ1はローパスフィルタ１６に入る。該ローパスフィルタ１６はオーディオ信号ｅ1の２倍以上の周波数を減衰させるように構成されている。該ローパスフィルタ１６を介して平均化された変換電圧Ｒｓ・ｉ1（ａｖｅ）と基準電圧Ｖｒｅｆとを比較器１２ｂで比較する。
【００３６】
若し、検出電圧が基準電圧Ｖｒｅｆよりも大きい場合、比較器１２ｂは例えばＨレベルの信号を出力する。この比較器１２ｂの出力は、オーディオパワーアンプ３に入力され、ミュート回路（図示せず）を動作させ、出力ｅｏを０にする。或いは、スイッチング電源１の制御部１ｂに入力され、制御部１ｂのデッドタイムコントロールでパルス幅を狭くしてその出力電圧Ｖ１を低下させ、オーディオパワーアンプ３の出力電圧を低下させる。
【００３７】
或いは、ＬＥＤ表示部１３に入力され、ＬＥＤ  Ｄ２を点灯させ、定格電力以上のオーディオ信号が入力されていることを知らせる。以上のオーディオ検知部１２の出力に基づく制御は、前記した３種類の制御の内、少なくとも１つの制御を行えば、過大出力電力による部品の破損を防止するという目的を達することができる。
【００３８】
即ち、スイッチング電源１のパルスのデューティを小さくしてその出力電圧Ｖ１を小さくすれば、オーディオパワーアンプ３の出力を低下させることができ、部品（特に出力段のトランジスタ）の破損を防止することができる。或いは、オーディオパワーアンプ３の出力ｅｏを０にしてスピーカ５が過大電圧により破損することを防ぐことができる。或いは、操作者にＬＥＤ  Ｄ２を点灯させて定格電力以上のオーディオ信号が入力されていることを知らせることができる。操作者は、この表示を見てスイッチング電源１をオフにする等の対策をとることができる。
【００３９】
図４は第２の実施の形態例の電流特性を示す図である。縦軸は電流、横軸はオーディオ信号電圧ｅ1を示す。ラインＬ３はＶ１／Ｒ（Ｒはスピーカ５のインピーダンス）、ラインＬ４はＶ１／２Ｒを示している。Ｖ１／Ｒは波形のクリッピングレベルである。電流ｉ1（ｐ）はｉ1のピーク電流を、ｉ1（ａｖｅ）はリターン電流ｉ1の平均電流を示す。図に示すオーディオ信号電圧０〜ｅOTまではオーディオ出力ｅｏの無歪み波形範囲を示す。ピーク電流はオーディオ出力ｅOT以上で飽和していることが分かる。平均電流ｉ1（ａｖｅ）は飽和していない。従って、比較器１２ｂは過大電流を正確に検出することができる。
【００４０】
本発明によれば、リターン電流ｉ1を電流検出抵抗Ｒｓで電圧に変換した信号をローパスフィルタ１６を通してリターン電流を平均化したものと基準値とを比較するようにしているので、過大電流を正確に検出することができ、結果として過大出力電力による部品の破損を防止し、また過大出力電力であることを表示することができる。
【００４１】
図５は本発明の第３の実施の形態例を示すブロック図である。図３と同一のものは、同一の符号を付して示す。図において、２０はオーディオパワーアンプ（ディジタルアンプ）３に電源パワーを供給するスイッチング電源である。該スイッチング電源２０は、ＰＷＭ（パルス幅変調）方式のものを使用している。スイッチング電源２０において、２０ａは制御信号を受けてＰＷＭ制御を行なうＰＷＭ制御部、２０ｂは該ＰＷＭ制御部２０ａからの制御信号を受けて出力電圧Ｖ１を出力するパワー出力部である。
【００４２】
３は前述したオーディオパワーアンプであり、スイッチング電源２０により駆動され、オーディオ信号ｅ1を入力して電力増幅する。オーディオパワーアンプ３の出力でスピーカ５が駆動される。Ｒｓはリターン電流ｉ1を検出して電圧信号に変換する電流検出抵抗である。２１は電流検出信号Ｒｓ・ｉ1をうける積分回路である。該積分回路２１において、２１ａは積分回路を構成するオペ（ＯＰ）アンプである。該オペアンプ２１ａの正入力には電流検出信号が入力され、負入力には積分抵抗Ｒ３を介して基準電圧Ｖｒｅｆが入力されている。
【００４３】
Ｃはオペアンプ２１ａの負入力と出力間に接続される積分コンデンサである。Ｄ３は積分回路２１の出力を受けるダイオード、Ｒ４は該ダイオードＤ３のカソードとコモンライン間に接続される抵抗である。ダイオードＤ３と抵抗Ｒ４の共通接続点からパルス幅制御信号が出力され、スイッチング電源２０のＰＷＭ制御部２０ａに与えられている。積分回路２１の出力をｅｘとする。このように構成された回路の動作を説明すれば、以下の通りである。
【００４４】
オーディオパワーアンプ３がオーディオ信号ｅ1を電力増幅している状態では、電流検出抵抗Ｒｓにリターン電流ｉ1が流れている。従って、該電流検出抵抗Ｒｓから電流検出信号Ｒｓ・ｉ1が取り出される。この電流検出信号は、積分回路２１に入力される。ここで、積分回路２１の出力ｅｘは
【００４５】
【数１】
2005142795.tif 000003
【００４６】
であるから、ｉ≧Ｖｒｅｆ／Ｒｓ
でｅｘは正電圧となり積分される。積分回路２１の出力ｅｘが増加すると、積分回路２１で作成されたパルス幅制御信号はスイッチング電源２０のＰＷＭ制御部２０ａに与えられる。ここで、制御信号は、ｅｘの電圧増加でスイッチング電源２０のパルス幅を狭くするような制御信号となる。この結果、スイッチング電源２０のパワー出力部２０ｂの出力である電源電圧Ｖ１は小さくなり、オーディオパワーアンプ３での電力は小さくなる。
【００４７】
上述の実施の形態例では、Ｒｓ・ｉ1の積分を行なう場合について説明したが、本発明はこれに限るものではなく、図１に示したオーディオ信号ｅｓを積分回路で積分するようにしてもよい。
【００４８】
この実施の形態例によれば、過大電流が流れたことを電流検出抵抗Ｒｓで電圧信号に変換したものと、基準電圧Ｖｒｅｆとの差分を積分回路で積分するようにしており、比較器出力のような急激な変化ではないので、過大電流を検出した時のスピーカの音に不快感を感じなくてすむ。
【００４９】
上述の実施の形態例では、直流安定化電源としてスイッチング電源を用いた場合を例にとったが、本発明はこれに限るものではなく、他の種類の電源、例えばシリーズレギュレータ等の電源を用いることもできる。
【図面の簡単な説明】
【００５０】
【図１】本発明の第１の実施の形態例を示すブロック図である。
【図２】図１に示す回路の動作波形例を示す図である。
【図３】本発明の第２の実施の形態例を示すブロック図である。
【図４】第２の実施の形態例の電流特性を示す図である。
【図５】本発明の第３の実施の形態例を示すブロック図である。
【図６】従来のオーディオ回路の構成例を示すブロック図である。
【図７】図６に示す回路のｉ1電流波形を示す図である。
【符号の説明】
【００５１】
１      スイッチング電源
１ａ    パワースイッチング部
１ｂ    制御部
３      オーディオパワーアンプ
５      スピーカ
１０    アンプ
１１    アンプ
１２    オーディオ検知部
１２ａ  バッファアンプ
１２ｂ  比較器
１３    ＬＥＤ表示部
１３ａ  駆動回路
Ｄ１    ダイオード
Ｄ２    発光ダイオード
Ｃ１    コンデンサ
Ｒ１    抵抗
Ｖｒｅｆ基準電圧
【図１】
2005142795.tif 000004
【図２】
2005142795.tif 000005
【図３】
2005142795.tif 000006
【図４】
2005142795.tif 000007
【図５】
2005142795.tif 000008
【図６】
2005142795.tif 000009
【図７】
2005142795.tif 000010